(57)【要約】【課題】  現地昇降機の機種情報と仕様情報をもとにマスター情報を自動で訂正し、昇降機の故障の前兆を判断する判定値を正しく設定することができる昇降機遠隔監視システムを提供することにある。【解決手段】  遠隔監視装置１の昇降機情報記憶部３から昇降機の機種情報と仕様情報を収集し、それと昇降機遠隔監視センター９の情報処理部１１において記憶部１３に格納されたマスター情報との整合性を判断し、不整合と判断された場合、マスター情報を自動で訂正し、それをもとに昇降機の故障の前兆を判断する判定値を作成し、初期設定を実施する構成とした。【選択図】図１
2007055702.tif 000002
【特許請求の範囲】
【請求項１】
昇降機から機種情報と仕様情報を収集し記憶している記憶部を備えた昇降機監視装置と、保守員が持参する携帯端末と、その携帯端末または昇降機遠隔監視センターから初期設定要求により、上記昇降機遠隔監視装置に初期設定を実施する昇降機遠隔監視センターとからなる昇降機遠隔監視システムにおいて、上記昇降機遠隔監視装置から昇降機の機種情報と仕様情報を収集して一旦記憶し、それと記憶部に格納されたマスター情報とその整合性判定と不整合と判断した場合にマスター情報を自動で訂正し、そのマスター情報をもとに昇降機の故障の前兆を判断する判定値を作成する手段を備えたことを特徴とする昇降機遠隔監視システム。
【発明の詳細な説明】
【技術分野】
【０００１】
本発明は昇降機遠隔監視システムに関する。
【背景技術】
【０００２】
昇降機遠隔監視の実施にあたり、昇降機の稼働状況により故障の前兆を判定する方法として、昇降機遠隔監視センターで登録、管理するマスター情報（昇降機機種、定格速度等の仕様）をもとに、昇降機遠隔監視システムで管理されている昇降機の機種及び仕様により設定された故障の前兆を捉えるための判定値を昇降機遠隔監視装置に初期設定することにより、昇降機の稼働計測値と判定値を比較し、判定値から外れる場合に故障の前兆と判断する方法が取られている。また、昇降機遠隔監視装置は初期設定を行う必要があり、種々の方法が提案されている（特許文献１参照）。
【特許文献１】特開平１１−９８２６０号公報
【発明の開示】
【発明が解決しようとする課題】
【０００３】
しかしながら、前記従来技術においては昇降機遠隔監視センターで登録し、管理するマスター情報と現地の昇降機機種や仕様が異なり、正常な判定値を設定されなまま昇降機遠隔監視装置が稼働する為、不適切な故障の前兆を捉えるという問題点があった。また作業者は昇降機マスター情報と現地昇降機情報の整合性を確認し、再度昇降機遠隔監視システムへの監視初期設定要求が必要となり手間と時間を要するという問題点があった。
【０００４】
本発明はこのような従来技術の課題に鑑みなされたもので、昇降機遠隔監視装置に初期設定を行う際、昇降機遠隔監視装置が管理する機種情報と昇降機の仕様情報を読み出し、これと昇降機遠隔監視センターが管理するマスター情報との整合性チェックを実施し、不整合の場合に現地昇降機の機種情報と仕様情報をもとにマスター情報を自動で訂正し、昇降機の故障の前兆を判断する判定値を正しく設定することを特徴とした昇降機遠隔監視システムを提供することにある。
【課題を解決するための手段】
【０００５】
上記問題点を解決するために、請求項１の発明に係る昇降機の故障の前兆を捉える判定値の管理・設定手段は、前記昇降機遠隔監視センターと通信回線と接続され昇降機の監視情報や稼働情報を昇降機遠隔監視センターと送受信する遠隔監視装置と遠隔監視装置に接続される携帯端末において、前記携帯端末より前記遠隔監視装置に初期設定開始指示操作により前記昇降機遠隔監視センターに発信し、前記昇降機遠隔監視装置が管理する昇降機の機種情報と昇降機の仕様情報とを前記昇降機遠隔監視センターにて抽出したマスター情報をもとに整合性判定を実施し、不整合と判断された場合には前期昇降機遠隔監視センターで管理するマスター情報を自動で訂正し、それをもとに現地の昇降機情報に準拠した判定値の初期設定を自動で実施するようにした。
【発明の効果】
【０００６】
請求項１の発明によれば、前記昇降機遠隔監視センターに登録されたマスター情報に誤りがある場合においても、前記昇降機遠隔監視装置が管理する機種情報と昇降機の仕様情報を正と判断し、前記昇降機遠隔監視センターが管理するマスター情報を自動で訂正することにより、人手で行なっていた確認を無くし作業時間の低減ができる。また前記昇降機遠隔監視センターは正常な判定値を管理することができるとともに前記昇降機遠隔監視装置に対して初期設定することにより、不適切な故障の前兆を捉えることをなくし、調査などに要していた作業時間の低減ができる。
【発明を実施するための最良の形態】
【０００７】
以下、本発明を実施するための最良の形態を図に基づいて説明する。
【０００８】
図１は本発明の一実施形態になる昇降機遠隔監視システムを示すブロック機構図である。
【０００９】
図１において、１は昇降機遠隔監視装置で、その昇降機遠隔監視装置１は昇降機から仕様情報と稼働情報を収集する昇降機情報収集部２、上記昇降機情報収集部２から収集した昇降機の仕様情報と稼働情報を格納する昇降機情報記憶部３、昇降機遠隔監視センターからの初期設定情報を格納する初期設定情報記憶部４、電話回線８を介して昇降機遠隔監視センター９に接続し昇降機の仕様情報と稼働情報を発報し、上記初期設定情報を取得する通信部５とから構成されている。６は昇降機制御装置で、この昇降機制御装置６は通信線７を介して上記昇降機遠隔監視装置１と接続されている。
【００１０】
昇降機監視センター９は、通信部１０と、上記遠隔監視装置１から送信された昇降機情報をもとに、マスター情報訂正の必要性を判断し、必要な場合にマスター情報を訂正しする情報処理部１１と、マスター情報の登録と初期設定の開始指示を行う表示・入力部１２と、上記昇降機遠隔監視装置１から送信された昇降機情報と上記表示・入力部１２から登録されたマスター情報を格納する記憶部１３とから構成されている。
【００１１】
１４は保守員が持参する携帯端末で、この携帯端末１４には、昇降機遠隔監視装置１と接続する通信部１５と情報処理部１６と、上記昇降機遠隔監視装置１に対する初期設定の開始指示や初期設定処理の結果を表示する表示・入力部１７とから構成されている。次に動作を説明する。昇降機制御装置６と遠隔監視装置１は通信線７を介して接続し、常時昇降機情報収集部２で昇降機の仕様情報と稼働情報を収集している。保守員は携帯端末１４と上記昇降機遠隔監視装置１の通信部１０を利用し、上記昇降機遠隔監視センターに上記昇降機遠隔監視装置１への初期設定要求を送信する。昇降機遠隔監視センター９はそれを受信し、電話回線８を介して昇降機遠隔監視端末１の昇降機情報記憶部３と接続し、昇降機の仕様情報を収集し、電話回線８と接続された状態のままでこの仕様情報を記憶部１３に一旦格納する。次に、情報処理部１１は記憶部１３に格納されているマスター情報を取得し、昇降機遠隔監視装置１から収集した仕様情報との整合性を判定し、不整合と判断した場合、記憶部１３に格納されているマスター情報を収集した昇降機の仕様情報に準じて訂正し、マスター情報をもとに昇降機の故障の前兆を判断する判定値を作成し、電話回線８を介して昇降機遠隔監視装置１の初期設定情報記憶部４と接続し初期設定情報を格納し、一連の作業は終了する。
【００１２】
このように、マスター情報登録に現地の昇降機情報との不整合が発生した場合においても、マスター情報を自動的に訂正し、昇降機の故障の前兆を判断する適切な判定値の初期設定が実施でき、保守員による定期的なマスター情報のチェックや現地での再初期設定の作業が不要となる。
【００１３】
さらに、昇降機の故障の前兆の不要な検出を防止できることから、作業指示をより的確に出すことができる。
【図面の簡単な説明】
【００１４】
【図１】本発明の一実施形態になる昇降機遠隔監視システムのブロック機構図である。
【符号の説明】
【００１５】
１  昇降機遠隔監視装置
２  昇降機情報収集部
３  昇降機情報記憶部
４  初期設定情報記憶部
５  通信部
６  昇降機制御装置
７．通信線
８．電話回線
９．昇降機監視センター
１０  通信部
１１  情報処理部
１２  表示・入力部
１３  記憶部
１４  携帯端末
１５  通信部
１６  情報処理部
１７  表示・入力部
【図１】
2007055702.tif 000003